(57)【特許請求の範囲】
【請求項１】
板金と、この板金の一側に第１の曲げ部を介して略垂直に折曲された第１の曲起こし部と、前記板金の他側に第２の曲げ部を介して略垂直に折曲されて前記第１の曲起こし部と略平行に向かい合う第２の曲起こし部と、引張により直線状に伸びることができる湾曲部を中央に有して前記第１の曲起こし部の第３の曲げ部および第２の曲起こし部の第４の曲げ部を介して前記第１の曲起こし部と前記第２の曲起こし部とを相互に連結する連結部とを備え、前記第１の曲起こし部と第２の曲起こし部の曲げ加工前の展開状態において、前記第３の曲げ部および前記第４の曲げ部の相互間の中央位置からの距離が前記第１の曲げ部および前記第２の曲げ部の相互間の中央位置からの距離よりも短く、かつ前記第３の曲げ部および第４の曲げ部の相互間の前記湾曲部に沿った長さを、前記第１の曲げ部および前記第２の曲げ部の相互間の長さと等しくなるように前記湾曲部の湾曲長さを決めたことを特徴とする板金の一対の曲起こし部の構造。
【発明の詳細な説明】
【０００１】
【発明の属する技術分野】
この発明は、スイッチ操作機構の操作レバー等に適用される板金の一対の曲起こし部の構造に関するものである。
【０００２】
【従来の技術】
近年、工業製品は小型軽量化が進んでおり、板金を使用した商品においても、小型化が重要になってきている。
以下図面を参照しながら、従来の板金加工技術を使用したスイッチ操作機構の一例について説明する。図３（ａ）は従来のスイッチ操作機構の平面図、図３（ｂ）は同側面図を示すものである。図３において、１はスイッチ操作レバー、２は基板、３，４はスイッチ、５はケースである。図３において、スイッチ操作レバー１のガイド溝１ａが、基板２に設けられた軸２ａに摺動自在に装着されており、スイッチ操作レバー１は軸２ａに沿ってガイド溝１ａの範囲を左右に摺動可能になっている。そしてスイッチ操作レバー１が右方向に移動すると左側の曲起こし部１ｂが左側のスイッチ３のアクチュエータ３ａを押しスイッチ３を操作する。また、スイッチ操作レバー１が左方向に移動すると右側の曲起こし部１ｃが右側のスイッチ４のアクチュエータ４ａを押しスイッチ４を操作する。
【０００３】
【発明が解決しようとする課題】
しかしながら、上記のような従来の板金の一対の曲起こし部の構造では、スイッチ操作機構のスイッチ３，４を操作する曲起こし部１ｂ，１ｃの厚みが薄いと変形しやすく、薄型のスイッチを使用しても切り起こし１ｂ，１ｃの厚みを薄くできず、そのためスイッチ操作機構全体の厚みを薄くできないという問題点を有していた。
【０００４】
したがって、この発明は、上記従来の問題点に鑑み、板金等の切り起こし部の厚みが薄くても変形しにくく、かつ、切り起こし部の補強となる連結部の曲げ部高さが自由に設定できて、設計の自由度を増すことができる板金の一対の曲起こし部の構造を提供することを目的としている。
【０００５】
【課題を解決するための手段】
請求項１記載の板金の一対の曲起こし部の構造は、板金と、この板金の一側に第１の曲げ部を介して略垂直に折曲された第１の曲起こし部と、板金の他側に第２の曲げ部を介して略垂直に折曲されて第１の曲起こし部と略平行に向かい合う第２の曲起こし部と、引張により直線状に伸びることができる湾曲部を中央に有して第１の曲起こし部の第３の曲げ部および第２の曲起こし部の第４の曲げ部を介して第１の曲起こし部と第２の曲起こし部とを相互に連結する連結部とを備え、第１の曲起こし部と第２の曲起こし部の曲げ加工前の展開状態において、第３の曲げ部および第４の曲げ部の相互間の中央位置からの距離が第１の曲げ部および第２の曲げ部の相互間の中央位置からの距離よりも短く、かつ第３の曲げ部および第４の曲げ部の相互間の湾曲部に沿った長さを、第１の曲げ部および第２の曲げ部の相互間の長さと等しくなるように湾曲部の湾曲長さを決めたことを特徴とするものである。
【０００６】
請求項１記載の板金の一対の曲起こし部の構造によれば、曲起こし部は板金と連結部により支持されているため、曲起こし部の支持強度が増大するので、曲起こし部の厚みが薄くても曲起こし部が変形しにくくなり、安定した形状を維持でき、板金製品の薄型化および小型化を図ることができる。また、第３の曲げ部および第４の曲げ部の位置の設定および連結部の湾曲部の設定により、板金補強となる連結部の曲げ高さを板金等の基準となる平面と異なる高さに設定できるため、設計の自由度を増すことができる。したがって、スイッチ操作機構に適用した場合にはスイッチ操作機構全体の厚さを薄くすることが可能になる。
【０００７】
【発明の実施の形態】
以下、この発明の板金の一対の曲起こし部の構造を適用したスイッチ操作機構について、図１および図２を参照しながら詳細に説明する。図１はスイッチ操作機構のスイッチ操作レバーの曲起こし部を曲げる前の展開状態の形状を示すものである。図２はスイッチ操作機構を示し、（ａ）はスイッチ操作機構の平面図、（ｂ）は同側面図を示すものである。
【０００８】
図１および図２において、１はスイッチ操作レバー、２は基板、３，４はスイッチ、５はケースである。図２（ａ）において、スイッチ操作レバー１のガイド溝１ａが、基板２に設けられた軸２ａに摺動自在に装着されており、スイッチ操作レバー１は軸２ａに沿ってガイド溝１ａの長さの範囲を左右に摺動可能になっている。そしてスイッチ操作レバー１が右方向に移動すると第１の曲起こし部１ｂが第１のスイッチ３のアクチュエータ３ａを押し第１のスイッチ３を操作する。また、スイッチ操作レバー１が左方向に移動すると第２の曲起こし部１ｃが第２のスイッチ４のアクチュエータ４ａを押し第２のスイッチ４を操作する。
【０００９】
ここで、スイッチ操作レバー１は板金により形成され、その中央部に曲起こし部成形片７ａ，７ｂを一体に形成し、これに曲起こし部を形成している。すなわち、曲起こし部の構造は、板金の一側として曲起こし部形成片７ａに第１の曲げ部１ｄを介して略垂直に折曲された第１の曲起こし部１ｂと、板金の他側として曲起こし部形成片７ｂに第２の曲げ部１ｆを介して略垂直に折曲されて第１の曲起こし部１ｂと略平行に向かい合う第２の曲起こし部１ｃと、引張により直線状に伸びることができる湾曲部１ｊを中央に有して第１の曲起こし部１ｂの第３の曲げ部１ｅおよび第２の曲起こし部１ｃの第４の曲げ部１ｇを介して相互に連結する連結部１ｉとを備えている。したがって、スイッチ操作レバー１の第１の曲起こし部１ｂには第１の曲げ部１ｄと第３の曲げ部１ｅが設けられており、向かい合って設けられた第２の曲起こし部１ｃにも第２の曲げ部１ｆと第４の曲げ部１ｇが設けられていて第２の曲げ部１ｅｊ第４の曲げ部１ｇはスイッチ操作の基本平面１ｈより独立した連結部１ｉにより結ばれている。
【００１０】
また、図１（ｂ）において第３の曲げ部１ｅと第４の曲げ部１ｇはケース５との干渉をさけるため、基本平面１ｈに設けられた第１の曲げ部１ｄおよび第２の曲げ部１ｆより高い位置に設けられている。すなわち、第１の曲起こし部１ｂと第２の曲起こし部１ｃの曲げ加工前の展開状態において、第３の曲げ部１ｅおよび第４の曲げ部１ｇの相互間の中央位置からの距離が第１の曲げ部１ｄおよび第２の曲げ部１ｆの相互間の中央位置からの距離よりも短く設定されている。
【００１１】
また、第３の曲げ部１ｅおよび第４の曲げ部１ｇの相互間の湾曲部１ｊに沿った長さを、第１の曲げ部１ｄおよび第２の曲げ部１ｆの相互間の長さと等しくなるように湾曲部１ｊの湾曲長さを決めている。すなわち、前記のように曲げ部の高さが異なると第１の曲げ部１ｄから第２の曲げ部１ｆまでの距離と連結部１ｉの長さが展開時には異なることとなる。そこで、図１に示すように、板金展開時に連結部１ｉの途中に湾曲部１ｊを設けることにより、曲げ加工によって湾曲部１ｊが伸び、第１の曲げ部１ｄから第２の曲げ部１ｆまでの長さと連結部１ｉの長さが等しくでき、第１の曲起こし部１ｂと第２の曲起こし部１ｃを平行にすることができる。そして、連結部１ｉは各曲起こし部１ｂ，１ｃの補強となり、その変形を防止することができる。
【００１２】
なお、この発明の曲起こし部１ｂ，１ｃは、切起しにより形成された場合を含む。
【００１３】
【発明の効果】
請求項１記載の板金の一対の曲起こし部の構造によれば、曲起こし部は板金と連結部により支持されているため、曲起こし部の支持強度が増大するので、曲起こし部の厚みが薄くても曲起こし部が変形しにくくなり、安定した形状を維持でき、板金製品の薄型化および小型化を図ることができる。また、第３の曲げ部および第４の曲げ部の位置の設定および連結部の湾曲部の設定により、板金補強となる連結部の曲げ高さを板金等の基準となる平面と異なる高さに設定できるため、設計の自由度を増すことができる。したがって、スイッチ操作機構に適用した場合にはスイッチ操作機構全体の厚さを薄くすることが可能になるという効果がある。
【図面の簡単な説明】
【図１】この発明の一実施の形態におけるスイッチ操作機構の曲起こし部の展開状態の正面図である。
【図２】スイッチ操作機構を示し、（ａ）は平面図、（ｂ）は側面図である。
【図３】従来のスイッチ操作機構を示し、（ａ）は平面図、（ｂ）は側面図である。
【符号の説明】
１    板金により形成したスイッチ操作レバー
１ｂ    第１の曲起こし部
１ｃ    第２の曲起こし部
１ｄ    第１の曲げ部
１ｅ    第３の曲げ部
１ｆ    第２の曲げ部
１ｇ    第４の曲げ部
１ｉ    連結部
１ｊ    湾曲部
【図１】
0003827754.tif 000002
【図２】
0003827754.tif 000003
【図３】
0003827754.tif 000004